(57)【特許請求の範囲】
【請求項１】
音響信号を入力する音響信号入力部と、前記音響信号の信号レベルを固定のゲイン分減衰させる固定減衰部と、前記音響信号の信号レベルを可変のゲイン分増幅または減衰させる可変増幅部と、前記固定減衰部を使用するか否かを設定する切替部と、を有し、前記切替部の設定に応じて、前記固定減衰部と前記可変増幅部とを経由した前記音響信号または前記可変増幅部のみを経由した前記音響信号を出力する入力ポートと、
前記入力ポートで前記音響信号に付与されるゲインが、前記固定減衰部と前記可変増幅部とを経由した場合の調整範囲と前記可変増幅部のみを経由した場合の調整範囲との重複範囲にあるか否かを判定する判定手段と、
前記判定手段により前記重複範囲にあると判定される場合に、前記切替部にて前記固定減衰部を不使用に設定し、前記可変増幅部のゲインを前記固定減衰部の固定ゲイン分に応じて調整する自動調整手段と
を備えることを特徴とするレベル調整装置。
【請求項２】
前記入力ポートを複数備え、
前記複数の入力ポートのうち、前記判定手段により前記重複範囲にあると判定される入力ポートを抽出する抽出手段
を備えることを特徴とする請求項１に記載のレベル調整装置。
【請求項３】
前記判定手段による判定結果を報知する報知手段
を備えることを特徴とする請求項１または２に記載のレベル調整装置。
【請求項４】
入力した音響信号を、信号レベルを固定のゲイン分減衰させる固定減衰部と信号レベルを可変のゲイン分増幅または減衰させる可変増幅部を経由して出力、または、前記可変増幅部のみを経由して出力する、レベル調整装置を制御する制御装置に、
前記音響信号に付与されるゲインを取得する手段と、
前記取得したゲインが、前記固定減衰部と前記可変増幅部とを経由した場合の調整範囲と前記可変増幅部のみを経由した場合の調整範囲との重複範囲にあるか否かを判定する判定手段と、
前記判定手段により前記重複範囲にあると判定される場合に、前記可変増幅部のみを経由して、前記取得したゲインを前記固定減衰部の固定ゲイン分に応じて調整する自動調整手段と
を実行させるためのプログラム。
【発明の詳細な説明】
【技術分野】
【０００１】
本願に開示の技術は、音響信号の信号レベルを調整する技術に関し、特に、アナログ音響信号を、音質を考慮しながら好適な信号レベルに調整する技術に関する。
【背景技術】
【０００２】
従来から音響信号のレベルや音質を調整するとともに複数の音響信号を混合するミキシング機能を有する機器としてミキサ等の音響信号処理装置が知られている。
音響信号処理装置には混合する複数の音響信号のミキシングバランスを調整する前段の構成として、入力するアナログ音響信号の信号レベル等を調節するためのプリアンプが備えられている。
【０００３】
プリアンプは、入力されるアナログ音響信号の信号レベルを予め定められた固定ゲインの分だけ減衰させる固定減衰器を含むパッド部（ＰＡＤ）と、入力されるアナログ音響信号の信号レベルを任意に変更可能な可変ゲインの分だけ可変に増幅または減衰可能な可変増幅器を含む可変増幅部とを備える。
パッド部は、ユーザの指示に応じてその使用・不使用が切り替えられる。
パッド部を使用すること（以下、パッドオン）が指示された場合には、プリアンプは固定減衰器および可変増幅器を経由して信号を出力する。この場合、入力されたアナログ音響信号の信号レベルは、固定減衰器にて予め定められた分だけ減衰されるとともに、可変増幅器にて増幅または減衰される。
一方、パッド部を使用しないこと（以下、パッドオフ）が指示された場合には、プリアンプは固定減衰器をバイパスする。この場合、入力されたアナログ音響信号の信号レベルは、可変増幅器においてのみ増幅または減衰される。
このようなプリアンプの構成については、例えば特許文献１、非特許文献１、及び非特許文献２に記載がある。
【先行技術文献】
【特許文献】
【０００４】
【特許文献１】特開２００８−２６３４１０号公報
【非特許文献】
【０００５】
【非特許文献１】「ＰＭ５Ｄ／ＰＭ５Ｄ−ＲＨＶ２／ＤＳＰ５Ｄ  取扱説明書」、ヤマハ株式会社，２００４年（特にｐ．４２）
【非特許文献２】「ＤＭ２０００  Ｖｅｒｓｉｏｎ２  取扱説明書」、ヤマハ株式会社、２００４年（特にｐ．１９、６４）
【発明の概要】
【発明が解決しようとする課題】
【０００６】
一般的に、音響信号処理装置に入力されるアナログ音響信号は、減衰や増幅等の信号処理を経ることにより音質の劣化が生じる恐れがある。このため、音響信号処理装置は、入力されたアナログ音響信号に対しては、できるだけ減衰や増幅等の信号処理を経ないで出力することが好ましい。
【０００７】
背景技術において記載したパッド部を備えたプリアンプでは、パッドオンとした場合において固定減衰器と可変増幅器とを経て調整された信号レベルが、パッドオフとした場合において可変増幅器のみを用いて調整可能な信号レベルの範囲となることも考えられる。
【０００８】
このような状況においては、プリアンプではパッドオフとし、固定減衰器をバイパスすることが音質の点で望ましい。
しかしながら、音響信号処理装置を用いて音響信号の調整を行うユーザは、通常、プリアンプの調整だけでなく、ミキシングバランスの調整等多種多様な調整を複数の音響信号に対して行うのであるから、各入力されるアナログ音響信号について、パッドオフとし固定減衰器をバイパスした状態にすることが可能か否かを、個別に認識することは容易ではなかった。ひいては、パッドオフが可能と認識したアナログ音響信号について、パッドオフに変更し、その上で可変増幅器を再調整することは、ユーザに多大な負担をかけるものであった。
【０００９】
本願に開示される技術は上記の課題に鑑み提案されたものであって、ユーザに負担をかけることなく、容易にアナログ音響信号の音質劣化を抑制することが可能なレベル調整装置、およびレベル調整のためのプログラムを提供することを目的とする。
【課題を解決するための手段】
【００１０】
本願に開示される技術に係るレベル調整装置は、入力ポートと、判定手段と、自動調整手段とを備える。入力ポートは、音響信号を入力する音響信号入力部、音響信号の信号レベルを固定のゲイン分減衰させる固定減衰部、音響信号の信号レベルを可変のゲイン分増幅または減衰させる可変増幅部、固定減衰部を使用するか否かを設定する切替部を有している。入力ポートは、切替部の設定に応じて、固定減衰部と可変増幅部とを経由した音響信号または可変増幅部のみを経由した音響信号を出力する。判定手段は、入力ポートで音響信号に付与されるゲインが、固定減衰部と可変増幅部とを経由した場合の調整範囲と可変増幅部のみを経由した場合の調整範囲との重複範囲にあるか否かを判定する。自動調整手段は、判定手段により重複範囲にあると判定される場合に、切替部にて固定減衰部を不使用に設定し、可変増幅部のゲインを固定減衰部の固定ゲイン分に応じて調整する。
【００１１】
また、本願に開示される技術に係るレベル調整装置は、請求項１に記載のレベル調整装置において、複数の入力ポートを備え、複数の入力ポートのうち、判定手段により重複範囲にあると判定される入力ポートを抽出する抽出手段を備える。
【００１２】
また、本願に開示される技術に係るレベル調整装置は、請求項１または２に記載のレベル調整装置において、判定手段による判定結果を報知する報知手段を備える。
【００１３】
【００１４】
また、本願に開示される技術に係るレベル調整のためのプログラムは、入力した音響信号を、信号レベルを固定のゲイン分減衰させる固定減衰部と信号レベルを可変のゲイン分増幅または減衰させる可変増幅部を経由して出力、または、可変増幅部のみを経由して出力する、レベル調整装置を制御する制御装置に、音響信号に付与されるゲインを取得する手段と、取得したゲインが、固定減衰部と可変増幅部とを経由した場合の調整範囲と可変増幅部のみを経由した場合の調整範囲との重複範囲にあるか否かを判定する判定手段と、判定手段により重複範囲にあると判定される場合に、可変増幅部のみを経由して、取得したゲインを固定減衰部の固定ゲイン分に応じて調整する自動調整手段とを実行させるようにしたものである。
【発明の効果】
【００１５】
本願に開示される技術に係るレベル調整装置、およびレベル調整のためのプログラムによれば、ユーザに負担をかけることなく、容易にアナログ音響信号の音質劣化を抑制することできる。
【図面の簡単な説明】
【００１６】
【図１】実施形態に係るデジタルミキサを示すブロック図である。
【図２】ＤＳＰにおいて実行される信号処理の構成を示す図である。
【図３】アナログ入力部においてアナログ入力端子毎に備えられるアナログ入力ブロックのブロック図である。
【図４】アナログ入力ブロックにおけるアナログ音響信号の信号レベルのゲインを調整可能な範囲を示す図である。
【図５】パッドオン状態（ＯＮ）からパッドオフ状態（ＯＦＦ）への切り替えを制御する処理のフローチャートを示す図である。
【発明を実施するための形態】
【００１７】
図１は、本願の実施形態に係るデジタルミキサ１を示すブロック図である。デジタルミキサ１は音響信号処理装置の一例である。複数の音響信号にミキシングやイコライジング等の信号処理を施し、信号処理後の音響信号を出力する装置である。デジタルミキサ１には、プリアンプとして、入力されるアナログ音響信号の信号レベルを調整するレベル調整機能が備えられている。
【００１８】
図１に示すデジタルミキサ１は、ＣＰＵ２、メモリ３、外部Ｉ／Ｏ４、表示器５、操作子６、電動フェーダ７、波形Ｉ／Ｏ８、信号処理部（以降、ＤＳＰ）９を備え、これらがシステムバス１０によって接続される。
【００１９】
ＣＰＵ２は、デジタルミキサ１の動作を統括制御する制御装置である。メモリ３に記憶されている所要の制御プログラムを実行することにより、外部Ｉ／Ｏ４における音響信号以外のデータの入出力の制御や、波形Ｉ／Ｏ８における音響信号の入出力の制御を行う。また、操作子６や電動フェーダ７における各種処理パラメータの入力操作を検出して、デジタルミキサ１における各種処理パラメータの設定や変更を行う。更に、表示器５において各種処理パラメータの設定や変更の状態、各部の動作状況などの表示の制御を行う。ＣＰＵ２により、各種処理パラメータを用いて各部の動作制御が行われる。
【００２０】
メモリ３は、ＣＰＵ２が実行する制御プログラム等を記憶するプログラム記憶領域や、ＣＰＵ２で制御プログラムが実行されている制御動作中に一時的に記憶すべきデータを記憶したり、ＣＰＵ２のワークメモリとして使用したりするデータ記憶領域を有する記憶装置である。
【００２１】
外部Ｉ／Ｏ４は、種々の外部接続機器に接続されて、音響信号以外の各種のデータの入出力を行うためのインタフェースである。例えば、マウス、文字入力用のキーボード、操作パネル、外部のディスプレイ、ＵＳＢコントローラ等の外部接続機器が接続される。
【００２２】
表示器５は、ＣＰＵ２の制御に従って種々の情報を表示する表示装置である。例えば液晶パネルや発光ダイオード等で構成される。
【００２３】
操作子６は、デジタルミキサ１に対する操作を受け付ける各種の操作子であり、種々のキー、ボタン、ロータリーエンコーダ、スライダ、つまみ等を備える。また、電動フェーダ７は、デジタルミキサ１に対する操作を受け付ける操作子であり、主に音響信号処理チャンネル（以降、チャンネル）における音響信号の信号レベルを制御するための操作を受け付けるための操作子である。なお、電動フェーダ７は、ＣＰＵ２の制御により、指定された値に該当する位置に自動的に移動させることができるものである。また、表示器５である液晶パネルに積層したタッチパネルを用いてこれら操作子を実現することもできる。
【００２４】
波形Ｉ／Ｏ８は、様々な音源からの音響信号の入力、入力された音響信号のＤＳＰ９（後述）への送出、ＤＳＰ９において信号処理された音響信号の外部音響機器への出力等を行うためのインタフェースである。波形Ｉ／Ｏ８は、複数のアナログ入力端子や複数のアナログ出力端子などを持ち、これらを介して音響信号の入出力を行う。
【００２５】
ＤＳＰ９には、波形Ｉ／Ｏ８からデジタル変換された音響信号が入力される。ＤＳＰ９は、デジタル信号処理回路で構成され、入力される音響信号に対して、ミキシング、イコライジング、フィルタリング等の信号処理を施す。信号処理は、現在設定されている各種処理パラメータの値（以降、カレントデータ）に基づいて制御される。カレントデータは、操作子６や電動フェーダ７の操作等により設定され、メモリ３に設けられたデータ記憶領域であるカレントメモリ（不図示）に記録される。
【００２６】
図２は、主にＣＰＵ２、波形Ｉ／Ｏ８、およびＤＳＰ９において実行される信号処理の構成を示す図である。波形Ｉ／Ｏ８は、アナログ入力部８０とアナログ出力部８２とを備える。アナログ入力部８０は、入力端子から入力されるアナログ音響信号をＤＳＰ９に出力する複数の入力ポートを備え、音響信号の入力、ＡＤ変換などを行う。なお、アナログ入力部８０の入力ポートは入力端子毎に設けられている。アナログ出力部８２は、ＤＳＰ９から出力されるデジタル音響信号を受ける複数の出力ポートを備え、デジタル音響信号のＤＡ変換などを行って外部機器に接続される出力端子に出力する。なお、アナログ出力部８２の出力ポートは出力端子毎に設けられている。
【００２７】
図２に示すように、ＤＳＰ９での信号処理は、入力パッチ部９０、入力チャンネル部９１、ミックスバス部９２、出力チャンネル部９３、出力パッチ部９４を有する。なお、本明細書では「チャンネル」という文言を「ｃｈ」と表記することがある。
【００２８】
入力パッチ部９０は、入力チャンネル部９１に設けられている複数の入力チャンネルのそれぞれに対して、アナログ入力部８０に設けられる複数の入力ポートのうちの何れかを割り当てる（パッチする）ものである。これにより、入力ポートに入力された音響信号が、割り当てられた入力チャンネルに送出される。どの入力ポートがどの入力チャンネルに割り当てられるかはユーザが操作子６等を用いて任意に設定でき、この各入力チャンネルと入力ポートとの割当状態に関するデータ（入力パッチ部９０のカレントデータ）はカレントメモリに記憶される。
【００２９】
入力チャンネル部９１は、例えば１２８個の入力チャンネルを備え、各入力チャンネルは同じ構成であるものとする。各入力チャンネルは、パッチされた入力ポートから入力される音響信号に対してイコライジング、フィルタリング等の信号処理を施す。信号処理を行った後、ミックスバス部９２に備えられる複数のバスのうち１または複数のバスに音響信号を送出する。入力チャンネル毎にミックスバス部９２に備えられる各バスへの音響信号送出の有無の設定が可能である。
【００３０】
ミックスバス部９２は、例えば９６系統のバスを備えており、バス毎に、入力チャンネル部９１の各入力チャンネルから入力される音響信号をミキシングし、ミキシングされた音響信号を出力チャンネル部９３に出力する。出力チャンネル部９３はミックスバス部９２のバスと同数の出力チャンネルを備えており、各出力チャンネルはそれぞれ異なる１のバスに対応している。各出力チャンネルは対応するバスから入力される音響信号に対してイコライジング、フィルタリング等の信号処理を施す。出力チャンネルにて信号処理された音響信号は出力パッチ部９４に送出される。
【００３１】
出力パッチ部９４は、出力チャンネル部９３の出力チャンネルのそれぞれを、アナログ出力部８２に設けられた複数の出力ポートのうち何れかに割り当てる（パッチする）ものである。これにより、ＤＳＰ９により信号処理され各出力チャンネルから出力された音響信号が、アナログ出力部８２を介して出力される。
【００３２】
図３は、アナログ入力部８０における１つの入力ポートの機能ブロック（以降、アナログ入力ブロック８００）を示すブロック図である。アナログ入力ブロック８００は、迂回スイッチ８０１、パッド８０２、アンプ８０３、およびアナログデジタル変換器（以降、ＡＤＣ）８０４を備える。アナログ入力ブロック８００はプリアンプに相当し、迂回スイッチ８０１、パッド８０２、アンプ８０３がレベル調整機能を担う。なお、複数の入力ポートのアナログ入力部８００はすべて同様の構成であるものとする。
【００３３】
迂回スイッチ８０１は、パッド８０２を利用するパッドオン状態（図３中、（ＯＮ）に接続される状態）と、パッド８０２を利用しないパッドオフ状態（図３中、（ＯＦＦ）に接続される状態）とで切り替えられる。迂回スイッチ８０１は、入力ポートにおけるアナログ音響信号の信号経路にパッド８０２を含むか含まないかを切り替えるスイッチである。
【００３４】
パッド８０２は、入力されるアナログ音響信号の信号レベルを予め定められた固定ゲインに従って減衰させる固定減衰器である。ユーザはこの固定ゲインを変更することはできない。アンプ８０３は、入力されるアナログ音響信号の信号レベルを可変ゲインに従って増幅又は減衰させる可変増幅器である。ユーザは操作子６等を用いてこの可変ゲインを調整できる。
【００３５】
迂回スイッチ８０１がパッドオン状態（ＯＮ）の場合、アナログ入力ブロック８００に入力されるアナログ音響信号は、その信号レベルがパッド８０２の固定ゲイン分減衰されてから後段のアンプ８０３に出力される。一方、迂回スイッチ８０１がパッドオフ状態（ＯＦＦ）の場合、アナログ入力ブロック８００に入力されるアナログ音響信号は、パッド８０２を経由することなくアンプ８０３に出力される。
【００３６】
迂回スイッチ８０１のパッドオン状態（ＯＮ）とパッドオフ状態（ＯＦＦ）の切り替えや、アンプ８０３の可変ゲインの値は、ユーザが操作子６を操作すること等により設定される。設定された値（パッドオンオフを示すパラメータの値、可変ゲインを示すパラメータの値）はカレントデータとしてカレントメモリ内に記憶・更新される。カレントメモリに記憶されたカレントデータに基づいて、ＣＰＵ２が迂回スイッチ８０１およびアンプ８０３を制御する。迂回スイッチ８０１の状態およびアンプ８０３の可変ゲインの値に応じて各アナログ入力ブロック８００に入力されたアナログ音響信号の信号レベルが調整され、ユーザは複数の入力ポートからそれぞれ出力される各信号レベルを略同等に調整することができる。
【００３７】
ＡＤＣ８０４は、信号レベルが調整されたアナログ音響信号をデジタル音響信号へＡＤ変換する。
【００３８】
尚、アナログ入力ブロック８００には、位相変換やハイパスフィルタなどの他の信号処理部や入力ポートの使用・不使用を切り替えるスイッチなどを備えていてもよい。
【００３９】
次に、図４を用いて、入力ポートのアナログ入力ブロック８００におけるアナログ音響信号の信号レベルのゲインの調整可能範囲について説明する。例えば、アンプ８０３の可変ゲインは、＋６０ｄＢから＋１０ｄＢまでの範囲で連続的に調整できるものとし、パッド８０２の固定減衰率は、−２６ｄＢに固定であるとする。
【００４０】
パッドオフ状態（ＯＦＦ）の場合には、信号経路にパッド８０２は介在しないので、アナログ入力ブロック８００においては、パッド８０２は使用されずアンプ８０３のみを使用して、入力されたアナログ音響信号の信号レベルが調整される。パッドオン状態（ＯＦＦ）の場合に調整可能なゲインの範囲であるパッドオフ調整範囲ＲＯＦＦは、アンプ８０３による可変ゲインの調整可能なゲインの範囲と等しい＋６０ｄＢから＋１０ｄＢまでの範囲となる。
【００４１】
パッドオン状態（ＯＮ）の場合には、信号経路にパッド８０２が介在するので、アナログ入力ブロック８００においては、パッド８０２およびアンプ８０３を使用して、入力されたアナログ音響信号の信号レベルが調整される。この調整範囲は、パッド８０２が−２６ｄＢの固定ゲインを有しているので、アンプ８０３による＋６０ｄＢから＋１０ｄＢまでの可変ゲインに対して−２６ｄＢが減衰された範囲となる。したがって、パッドオン状態（ＯＮ）の場合に調整可能なゲインの範囲である。パッドオン調整範囲ＲＯＮは、＋６０ｄＢから＋１０ｄＢから−２６ｄＢを減じた＋３４ｄＢから−１６ｄＢまでの範囲となる。つまり、パッドオン調整範囲ＲＯＮは、パッドオフ調整範囲ＲＯＦＦと比べ、常に−２６ｄＢの固定ゲインだけ減衰された状態となる。
【００４２】
パッドオン状態（ＯＮ）とパッドオフ状態（ＯＦＦ）とを切り替えて使用することで、アナログ入力ブロック８００におけるゲインの調整範囲は、パッドオフ調整範囲ＲＯＦＦとパッドオン調整範囲ＲＯＮとを合わせた＋６０ｄＢから−１６ｄＢまでの範囲となる。
【００４３】
パッドオン調整範囲ＲＯＮの上限である＋３４ｄＢから、パッドオフ調整範囲ＲＯＦＦの下限である＋１０ｄＢまでの範囲は、パッドオン状態（ＯＮ）での調整範囲であるパッドオン調整範囲ＲＯＮとパッドオフ状態（ＯＦＦ）での調整範囲であるパッドオフ調整範囲ＲＯＦＦとでゲインの調整範囲が重複する重複範囲ＲＯＶである。この重複範囲ＲＯＶはパッドオン状態（ＯＮ）およびパッドオフ状態（ＯＦＦ）の何れの状態でもゲインの調整が可能な範囲である。
【００４４】
図５には、ＣＰＵ２がメモリ３に記憶されたプログラムを実行することにより、アナログ入力部８０にてパッドオン状態（ＯＮ）に設定されている入力ポート（アナログ入力ブロック８００）のうちから、パッドオフ状態（ＯＦＦ）へ切り替えが可能な入力ポートを検出し、該検出した入力ポートをパッドオフ状態（ＯＦＦ）へ切り替えるための制御を行う処理のフローチャートを示す。
【００４５】
図５のフローチャートは、パッドの状態を調整するための指示をＣＰＵ２が受け付けた際開始される（Ｓ０）。例えば、操作子６のうちの１つとしてデジタルミキサ１に設けられた調整開始スイッチ（不図示）が操作されたことをＣＰＵ２が検知したことを契機として図５のフローチャートの処理が開始される。なお、この調整開始スイッチの操作は、通常、ユーザが各入力ポートの調整乃至入力チャンネルの調整等を行った後に、各入力ポートの最終調整を行う際に操作されるものである。
【００４６】
図５のフローチャートの実行が開始されると、ＣＰＵ２は、先ず、カレントメモリを参照し、パッドオン状態（ＯＮ）からパッドオフ状態（ＯＦＦ）へ切り替え可能な入力ポートの抽出を行う（Ｓ２）。ステップＳ２では、入力パッチ部９０におけるパッチ状態を示すパラメータに基づいて、入力チャンネル部９１の各入力チャンネルにパッチされている入力ポートを特定する。ＣＰＵ２は、各特定した入力ポートについて、パッドオフ状態（ＯＦＦ）への切り替え条件に該当するか否かを判定する。切り替え条件に該当した入力ポートがパッドオン状態（ＯＮ）からパッドオフ状態（ＯＦＦ）へ切り替え可能な入力ポートとして抽出される。ここで、パッドオフ状態（ＯＦＦ）への切り替え条件とは、当該入力ポートにおいて、カレントメモリに記憶されたパッドオンオフの値がパッドオン状態（ＯＮ）を示し、かつ、パッド８０２の固定ゲインとアンプ８０３に設定されている可変ゲインとの２つのゲインを加味して決まる（２つのゲインの合計である）プリアンプにおけるトータルのゲインの値が重複範囲ＲＯＶ内に含まれる値を示す場合である。言い換えれば、このステップＳ２では、入力ポートに入力された音響信号に対するゲインがアンプ８０３のみを使用して調整可能なゲインであるか否かが判定される。
【００４７】
ステップＳ４では、ステップＳ２においてパッドオフ状態（ＯＦＦ）に切り替え可能な入力ポートが抽出されたか否かを確認し、入力ポートが抽出されていた場合（Ｓ４：ＹＥＳ）には、ステップＳ２において抽出された全ての入力ポートに対してパッドオフ状態（ＯＦＦ）への切り替え調整処理をする処理（Ｓ６）に進む。ステップＳ６では、ＣＰＵ２は、ステップＳ２にて抽出された全ての入力ポートに対してパッドオフ状態（ＯＦＦ）への切り替え調整処理を行い、この後に図５のフローチャートの処理が終了する（Ｓ８）。ステップＳ６におけるパッドオフ状態（ＯＦＦ）への切り替え調整処理では、ＣＰＵ２は、調整対象の入力ポートについて、カレントメモリに記憶されたパッドオンオフを示すパラメータの値をパッドオン状態（ＯＮ）からパッドオフ状態（ＯＦＦ）へ書き換えると共に、アンプ８０３の可変ゲインを示すパラメータの値を調整して更新する。ここで、アンプ８０３の可変ゲインを示すパラメータの値は、パッドオフ状態（ＯＦＦ）に切り換えたことに伴い信号経路から外れたパッド８０２の固定ゲイン（−２６ｄＢ）に相当する分、アンプ８０３でのゲインを増加（＋２６ｄＢ）させるよう変更され、この切り替え調整処理の前後で調整対象の入力ポートにおけるトータルのゲインが変化しないよう調整される。一方、ステップＳ３において入力ポートが抽出されていなかった場合（Ｓ４：ＮＯ）は、いずれの入力ポートに対しても切り替え調整処理を行うことなく、図５のフローチャートの処理は終了する（Ｓ８）。
【００４８】
図５に示すフローチャートでは、操作子６に備えられるスイッチ等による指示により処理が開始される場合を例示したが本願はこれに限定されない。例示された方法やタイミングとは異なるその他の方法やタイミングで、処理が開始されてもよい。
【００４９】
また、ステップＳ２において、パッドオフ状態（ＯＦＦ）への切り替え条件の一つとしてプリアンプにおけるトータルのゲインの値が重複範囲ＲＯＶに調整されている場合を例示したが、本願はこれに限定されない。重複範囲ＲＯＶに代えて、重複範囲ＲＯＶから下限領域のゲイン範囲を除いた重複範囲ＲＯＶ１を条件としても良い。
【００５０】
図４に示すように、重複範囲ＲＯＶの範囲のうち下限域にある範囲ＲＭを除いた範囲を重複範囲ＲＯＶ１として定義する。範囲ＲＭは、パッドオフ調整範囲ＲＯＦＦ（図４）の下限である＋１０ｄＢを下限としてゲイン調整値Ａまでの範囲である。
【００５１】
例えば、マージンとして除かれる範囲ＲＭは、重複範囲ＲＯＶに対して１／２以下の範囲である。更に、６ｄＢ程度であることが好ましい。リハーサル等において事前にゲインの値を設定しておくものの、本願において微調整が必要になる場合がある。この微調整値として６ｄＢ程度が望ましい。一般的に、できるだけ多くのアナログ入力ブロック８００をパッドオフ状態（ＯＦＦ）に切り換えられることが音質の向上から好都合であり、この点から重複範囲ＲＯＶ1は大きな幅を有する範囲であることが好ましく、一方、リハーサルと本番といった時間経過の中で既に調整されたゲインの値であっても再度微調整が必要になる場合もあり、重複範囲ＲＯＶ１におけるマージンも確保する必要がある。このような事情を考慮して重複範囲ＲＯＶ１を設定する際のマージンを設定することが望まれる。
【００５２】
また、重複範囲ＲＯＶの下限だけでなく、重複範囲ＲＯＶの上限にも微調整用を行うためのマージンがあってもよい。すなわち、パッドオン調整範囲ＲＯＮ（図４）の上限である＋３４ｄＢを上限として所定ゲイン低いゲイン調整値までの範囲をマージンとして重複範囲ＲＯＶから除外する。
【００５３】
また、ステップＳ２の処理は、パッドオフ状態（ＯＦＦ）に切り替え可能な入力ポートを抽出する手順は上記説明した態様に限定されない。例えば、パッチ部９１におけるパッチ状態を示すパラメータに依らず、全ての入力ポートについて、パッドオフ状態（ＯＦＦ）への切り替え条件に該当するか否かを判定し、該当した入力ポートパッドオフ状態（ＯＦＦ）へ切り替え可能な入力ポートとして抽出するようにしてもよい。あるいは、各入力ポート独立にパッドオフ状態（ＯＦＦ）への切り替え条件に該当するか否かを判定するようにしてもよい。
【００５４】
また、ステップＳ６において、パッドオン状態（ＯＮ）からパッドオフ状態（ＯＦＦ）への切り替え、およびアンプ８０３の可変ゲインの調整を行う場合を例示したが、本願はこれに限定されるものではない。例えば、ステップＳ６において、パッドオフ状態（ＯＦＦ）への切り替えが可能な入力ポート（あるいは当該入力ポートにパッチされている入力チャンネル）をユーザに報知する報知処理を行い、パッドオン状態（ＯＮ）からパッドオフ状態（ＯＦＦ）への切り替え、およびアンプ８０３の可変ゲインの調整はユーザが操作子６等を操作することにより行われるようにしてもよい。報知の方法は、表示器５を用いた報知（表示器５が液晶パネルの場合にはポップアップウインドウ等による表示、表示器５が発光ダイオード等の発光素子の場合にはその点灯等）や、音声による報知、あるいは機構的な手段を用いた表示等種々の形態を採用することができる。
【００５５】
また、ステップＳ６での調整処理と報知処理とは適宜組み合わせてもよく、報知処理の報知の後に調整処理を行うか否かの指示の入力待ちとする処理としても良い。この場合、ユーザは、ステップＳ６による自動調整の処理を選択する以外に、手動によりパッドオフ状態（ＯＦＦ）への切り替えとアンプ８０３の可変ゲインの調整を行うこともできる。あるいは調整処理とともに報知処理を行い、ユーザに対して抽出された入力ポート乃至調整された入力ポートを報知するようにしてもよい。
【００５６】
このように、図５に示すフローチャートによれば、目標レベルの調整の完了の後に、個々の入力ポート（アナログ入力ブロック８００）は、パッドオフ状態（ＯＦＦ）への切り替え条件に従って、パッドオン状態（ＯＮ）からパッドオフ状態（ＯＦＦ）へ切り替え可能な入力ポートの抽出が行われる。パッドオフ状態（ＯＦＦ）への切り替え条件とは、パッドオン状態（ＯＮ）で調整が行われ、かつプリアンプのトータルのゲインの値が重複範囲ＲＯＶまたはＲＯＶ１に調整されている場合である。この条件に該当する入力ポートが探し出される。さらに、抽出の後、切り替え条件に該当する入力ポートは、パッドオフ状態（ＯＦＦ）への切り替え調整処理が行われる。これにより、ユーザに負担をかけることなく、各入力ポート（アナログ入力ブロック８００）について、必要に応じて、個々アナログ入力ブロック８００のパッドの使用状況を確認し、パッドオン状態（ＯＮ）の場合に、パッドオフ状態（ＯＦＦ）に切り替えられるか否かを判別することが可能である。
【００５７】
尚、本発明は上記の実施形態に限定されるものではなく、本発明の趣旨を逸脱しない範囲内での種々の改良、変更が可能であることは言うまでもない。
例えば、本願に係るレベル調整装置は、デジタルミキサだけでなく、シンセサイザ、レコーダ、エフェクタ、アンプ等の、アナログ音響信号を入力する任意の音響信号処理装置に適用することも可能である。上記実施形態においてはアナログ入力部８０とアナログ出力部８２を有するものとして説明したが、さらに図３破線で示すようにデジタル入力部８１やデジタル出力部８３を有していても良い。また、本願に係るレベル調整装置は、デジタルミキサに限定されず、アナログミキサや、パーソナルコンピュータ、携帯電話機、携帯ゲーム装置、テレビ等の装置についても、アナログ音響信号を入力するプリアンプを制御する機能を有するものであれば、適用可能である。また、音響信号処理装置やその他の装置に搭載するだけでなく、単体のレベル調整装置として実施することも可能である。
【００５８】
入力端子は音響信号入力部の一例、パッド８０２は固定減衰部の一例、アンプ８０３は可変増幅部の一例、迂回スイッチ８０１は切替部の一例、ステップＳ２は判定手段の一例、アナログ入力部８０はレベル調整装置の一例、パッドオン調整範囲ＲＯＮは第１レベル調整範囲の一例、パッドオフ調整範囲ＲＯＦＦは第２レベル調整範囲の一例である。
の一例である。
【００５９】
以下、本発明について、請求項に記載のない諸態様をまとめる。
請求項１ないし４の何れか一に記載のレベル調整装置に係る本発明の第１の態様として、請求項１に記載の判定手段は、固定減衰部および可変増幅部を介する際の第１レベル調整範囲と可変増幅部を介する際の第２レベル調整範囲とを比較し、目標レベルが第１レベル調整範囲と第２レベル調整範囲との何れにも含まれる重複範囲にある場合に、固定減衰器を含まずに可変増幅器での調整が可能であるとの判定を行うことを特徴とする。
本発明の第２の態様として、上記の第１の態様に係るレベル調整装置に記載の判定手段は、目標レベルが重複範囲から第２レベル調整範囲の下限領域の範囲を除く範囲にある場合に、固定減衰器を含まずに可変増幅器での調整が可能であるとの判定を行うことを特徴とする。
【符号の説明】
【００６０】
１          デジタルミキサ
２          ＣＰＵ
３          メモリ
４          外部Ｉ／Ｏ
５          表示器
６          操作子
７          電動フェーダ
８          波形Ｉ／Ｏ
９          ＤＳＰ
１０        システムバス
８００      アナログ入力ブロック
８０１      迂回スイッチ
８０２      パッド
８０３      アンプ
８０４      ＡＤＣ
【図１】
0005870653.tif 000002
【図２】
0005870653.tif 000003
【図３】
0005870653.tif 000004
【図４】
0005870653.tif 000005
【図５】
0005870653.tif 000006